(57)【要約】【課題】カメラ付き携帯電話機のサブディスプレイ面に複数のボタンを設けることにより、携帯電話機を開かなくとも折り畳んだ状態で各種設定・切換や調整が可能である、操作性および利便性が向上した携帯電話機を提供する。【解決手段】折り畳まれた状態で第２の筐体３と対面する第１の筐体２の面に第１表示手段５を備え、第１の筐体２の第１表示手段５の背面に第２表示手段２０と撮像手段２１と機能切替を行うための第１決定ボタン２３と第２決定ボタン２４ａおよび第３決定ボタン２４ｂを備えたことを特徴とする携帯電話機。【選択図】図３
2007053814.tif 000002
【特許請求の範囲】
【請求項１】
第１の筐体と、第２の筐体と、前記第１および第２の筐体を接続する連結部とを備えて、前記連結部によって前記第１の筐体と前記第２の筐体は折り畳み可能に構成される携帯電話機であって、
折り畳まれた状態で前記第２の筐体と対面する前記第１の筐体の面に第１表示手段を備え、
第１の筐体の第１表示手段の背面に第２表示手段と撮像手段と機能切替を行うための第１決定ボタンと第２決定ボタンおよび第３決定ボタンを備えたことを特徴とする携帯電話機。
【請求項２】
第１の筐体と、第２の筐体と、前記第１および第２の筐体を接続する連結部とを備えて、前記連結部によって前記第１の筐体と前記第２の筐体は折り畳み可能に構成される携帯電話機であって、
折り畳まれた状態で前記第２の筐体と対面する前記第１の筐体の面に第１表示手段を備え、
第１の筐体の第１表示手段の背面に第２表示手段と撮像手段と機能切替を行うための決定ボタンと調整量の変更を行うための右ボタンおよび左ボタンを備えたことを特徴とする携帯電話機。
【請求項３】
前記右ボタンおよび左ボタンはそれぞれ機能切替を行うための第２〜第３決定ボタンのいずれかと兼用することを特徴とする請求項２に記載の携帯電話機。
【請求項４】
前記第２決定ボタンおよび第３決定ボタンはそれぞれ調整量の変更を行うための右ボタンおよび左ボタンのいずれかと兼用することを特徴とする請求項１に記載の携帯電話機。
【請求項５】
第１の筐体と、第２の筐体と、前記第１および第２の筐体を接続する連結部とを備えて、前記連結部によって前記第１の筐体と前記第２の筐体は折り畳み可能に構成される携帯電話機であって、
折り畳まれた状態で前記第２の筐体と対面する前記第１の筐体の面に第１表示手段を備え、
第１の筐体の第１表示手段の背面に第２表示手段と撮像手段と機能切替を行うための第１決定ボタンと第２決定ボタンと第３決定ボタンと第４の決定ボタンおよび第５の決定ボタンを備えたことを特徴とする携帯電話機。
【請求項６】
第１の筐体と、第２の筐体と、前記第１および第２の筐体を接続する連結部とを備えて、前記連結部によって前記第１の筐体と前記第２の筐体は折り畳み可能に構成される携帯電話機であって、
折り畳まれた状態で前記第２の筐体と対面する前記第１の筐体の面に第１表示手段を備え、
第１の筐体の第１表示手段の背面に機能切替を行うための決定ボタンと調整量の変更を行うための上ボタンと下ボタンと右ボタンおよび左ボタンを備えたことを特徴とする携帯電話機。
【請求項７】
前記上ボタンと下ボタンと右ボタンおよび左ボタンはそれぞれ機能切替を行うための第２〜第５決定ボタンのいずれかと兼用することを特徴とする請求項６に記載の携帯電話機。
【請求項８】
前記第２〜第５決定ボタンはそれぞれ調整量の変更を行うための上ボタンと下ボタンと右ボタンおよび左ボタンのいずれかと兼用することを特徴とする請求項５に記載の携帯電話機。
【請求項９】
前記第２表示手段は、前記撮像手段で撮影した撮影画像を表示することを特徴とする請求項１〜８のいずれか１つに記載の携帯電話機。
【請求項１０】
第１の筐体の第１表示手段の背面に、前記連結部側から前記撮像手段、前記第２表示手段、複数の前記ボタンの順に配置したことを特徴とする請求項１〜９のいずれか１つに記載の携帯電話機。
【請求項１１】
請求項１〜１０記載の携帯電話機は、折り畳まれた状態で前記第１の筐体と対面する前記第２の筐体の面に複数の数字ボタンおよび操作ボタンを備えたことを特徴とする携帯電話機。
【発明の詳細な説明】
【技術分野】
【０００１】
この発明は撮影機能を有した携帯電話機に関する。
【背景技術】
【０００２】
近年、携帯電話機が広く普及しているが、その形状としてはストレートタイプ、フリップタイプ、クラムシェルタイプの３種類に大きく分類される。中でもクラムシェルタイプは折り畳むことによる小型化ができるため、他の２つのタイプよりニーズが高い。
【０００３】
また、最近では液晶ディスプレイの背面に液晶サブディスプレイを備えたものやカメラ機能を備えた携帯電話機が提案されている。
【０００４】
図１５は、従来のクラムシェルタイプのカメラ付携帯電話機１００（機種名ＳＨ２５１ｉ、シャープ株式会社製造、２００２年６月１日発売）を開いた状態での外観を示す斜視図である。携帯電話機１００は第１の筐体１０１と第２の筐体１０２からなり、第１の筐体１０１と第２の筐体１０２は、ヒンジ１０３を介して連結され、ヒンジ１０３を軸として角変位自在に動くことで折り畳み可能に構成されている。図１５に示すように携帯電話機１００は第１の筐体１０１には第１表示部１０４を備える。第１表示部１０４は携帯電話機１００が折り畳まれた時に内側に位置するように配置されている。第１表示部１０４（メインディスプレイ）は液晶ディスプレイやＥＬディスプレイなどで実現され、筐体内に設けられた第１表示ドライバ部を介して送られてくる画像データに基づく画像を表示する。第１の筐体１０１の背面にはアンテナ部１０５と上下可能なヘリカル部１０６を備え、第１の筐体１０１の側面には、カメラ機能の第２のシャッタボタン１０７を備える。また、第１表示部１０４の上部には通話時に使用する第１のスピーカ１０８を備える。
【０００５】
開閉検出部１０９は、携帯電話機１００が折り畳まれているか否かを検出する検出手段である。第１の筐体１０１下部のヒンジ１０３の近傍には小さな突起１０９ａが形成されており、第２の筐体１０２上部のヒンジ１０３近傍には小さな孔１０９ｂが形成されている。孔１０９ｂの内部には図示しない検出スイッチが設けられており、開閉検出部１０９は、突起１０９ａ、孔１０９ｂおよびスイッチから構成される。携帯電話機１００が折り畳まれると、第１の筐体１０１の突起１０９ａが第２の筐体１０２の孔１０９ｂに入り、図示しない検出スイッチが働き、筐体内に設けられた制御部によって携帯電話機１００が折り畳まれていることを判断する。
【０００６】
次に従来の携帯電話機１００の第２の筐体１０２について説明する。入力ボタン部１１０は、数字および文字を入力するためのキーなどから構成される。機能ボタン部１１１は携帯電話機における各種設定／機能切替を行うためのボタン群であり、電源のＯＮ／ＯＦＦ切替を行う電源ボタン１１２、後述するカメラ機能の第１のシャッタボタン１１３、メール機能とガイダンス表示を行うメール／ガイダンス用ボタン１１４、通話開始とスピーカ受話を行う開始／スピーカ受話ボタン１１５、機能選択画面での上下左右選択と決定を行う４方向ボタンと決定ボタンで構成されたマルチガイドボタン１１６から構成される。また、第２の筐体１０２の下部には送話マイク１１７を備えている。
【０００７】
一般的な携帯電話機の第２の筐体１０２の配置構成としては、ヒンジ１０３、機能ボタン群１１１、入力ボタン群１１０、送話マイク１１７の順番に配置するのが普通である。
【０００８】
図１６は、図１５に示された携帯電話機１００を背面側からの外観を示す斜視図である。図１７は、携帯電話機１００を折り畳んだ状態での外観斜視図を示し、図１８は、同じく携帯電話機１００を折り畳んだ状態での外観側面図である。第１の筐体１０１の背面は、第２表示部１２０、カメラ部１２１、ライト部１２２、既に説明したアンテナ部１０５から構成される。
【０００９】
第２表示部１２０は携帯電話機１００が折り畳まれた時に外側に位置するように配置されている。第２表示部１２０（サブディスプレイ）は液晶ディスプレイやＥＬディスプレイなどで実現され、筐体内に設けられた第２表示ドライバ部を介して送られてくる画像データに基づく画像を表示する。
【００１０】
カメラ部１２１は撮像レンズとＣＣＤ（Ｃｈａｒｇｅ  Ｃｏｕｐｌｅｄ  Ｄｅｖｉｃｅ）イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの撮像素子とＲＧＢの３色のカラーフィルタとを備える。カメラ部２は被写体で反射されて撮像レンズに入射した光を、カラーフィルタを通してＲＧＢの３色光にし、ＲＧＢの３色光をそれぞれ前記撮像素子に変換する。図１６に示すようにカメラ部１２１は携帯電話機１００が折り畳まれた時に外側に位置するように設けられている。
【００１１】
ライト部１２２は、カメラ部１２１で撮像する際の補助光源として使われる。一般的に、キセノン管を用いるものが多いが、最近ではＲＧＢのＬＥＤを同時発光させて、白色光を発光させて補助光源に用いるものもある。
【００１２】
第２の筐体の背面は、バッテリを格納するバッテリ部１２３と着信音を鳴らす第２のスピーカ１２４を備えている。
【００１３】
従来の携帯電話機１００を用いてカメラ撮影を行う場合の利用方法について、図１９を用いて説明する。図１９（ａ）は撮影者が被写体を撮影する場合の一般的な利用方法を示す。携帯電話機１００を開き、カメラ部１２１を被写体に向け、撮影者は第１表示部１０４をファインダとして利用する。図１９（ｂ）は撮影者が撮影者自身を撮影する場合の一般的な利用方法を示す。この場合、撮影者は第２表示部１２０をファインダとして利用することにより、撮影画像を確認しながら撮影をすることが可能である。一般的な携帯電話機では、第２表示部１２０で表示する際には、画面確認時の違和感をなくすため、画像を左右反転させ、鏡のように表示することが多い。図１９（ａ）において、シャッタボタンは第１のシャッタボタン１１３または、第１の筐体１０１の側面に備えた第２のシャッタボタン１０７のいずれかを使用することが可能である。図１９（ｂ）では、携帯電話機１００を折り畳んだ状態で第２のシャッタボタン１０７を使用して撮影しているが、開いた状態でも撮影可能である。その場合は、第１の筐体１０１側面に配置された第２のシャッタボタン１０７を使用すればよい。
【発明の開示】
【発明が解決しようとする課題】
【００１４】
上記のような２つの表示手段を備えたクラムシェルタイプのカメラ付携帯電話機であっても、ユーザによる効果的なサブディスプレイの利用という課題が残されている。
【００１５】
クラムシェルタイプの携帯電話機の場合、折り畳んだ状態では、第１筐体１０１側面に設けられたシャッタボタン１０７以外にユーザの入力手段が無く、カメラモード時には、サブディスプレイ１２０を単なるファインダとして使うだけであった。また、待ち受けモード時には、サブディスプレイ１２０に待ち受け画像や時計、メール着信等が表示されるが、予め携帯電話機を開いた状態でユーザが設定したものを自動的に表示するだけであった。
【００１６】
従って、例えばカメラモード時において、カメラ部１２１横に設けたライト部１２２の光量を調整するためには、携帯電話機を開いてメインディスプレイ１０４に表示される調整量を確認しながら、第２筐体１０２のキー操作を行わなければならなかった。同様に待ち受け画像や時計表示の設定に関しても、携帯電話機を開いてメインディスプレイ１０４で確認しながら設定を行わなくてはならなかった。また、サブディスプレイ１２０にメールの着信表示があった場合においても、メールの内容を参照するためには、やはり携帯電話機を開いてメインディスプレイ１０４で確認しなければならなかった。このように折り畳んだ状態で外面にディスプレイがありながら、その表示操作をするためには、携帯電話機を開いて操作しなくてはならないという動作はユーザにとって煩わしいものである。
【００１７】
また、携帯電話機を折り畳んで利用する場合と携帯電話機を開いて利用する場合では、携帯電話機の本体側の向きが逆であり、例えばユーザが折り畳んで利用していた状態から、開いて利用する状態に変える時には、携帯電話機の向きを変えるために持ち替える必要があった。
【００１８】
それゆえに、この発明の目的はユーザがサブディスプレイを有効に使いやすく利用できる携帯電話機を提供することである。
【課題を解決するための手段】
【００１９】
第１の発明は、第１の筐体と、第２の筐体と、前記第１および第２の筐体を接続する連結部とを備えて、前記連結部によって前記第１の筐体と前記第２の筐体は折り畳み可能に構成される携帯電話機であって、折り畳まれた状態で前記第２の筐体と対面する前記第１の筐体の面に第１表示手段を備え、第１の筐体の第１表示手段の背面に第２表示手段と撮像手段と機能切替を行うための第１決定ボタンと第２決定ボタンおよび第３決定ボタンを備えたことを特徴とする携帯電話機である。
【００２０】
本発明に従えば、携帯電話機が折り畳まれた時に外側に第２表示手段と第１〜第３決定ボタンがある。これによって、ユーザは折り畳んだ状態であっても撮影機能の切り替えや第２表示手段の表示切り替え等の複数の切り替えを行うことができる。
【００２１】
このように、ユーザは携帯電話機を開かなくても第１〜第３決定ボタンを押下することにより、カメラ起動、ライト点灯やピクト表示切替等の複数の機能切り替えが可能になる。従って、閉じた状態で切り替えできる機能については、携帯電話機を開く必要がなくなり、操作性および利便性が向上する。
【００２２】
また、第２の発明は、第１の筐体と、第２の筐体と、前記第１および第２の筐体を接続する連結部とを備えて、前記連結部によって前記第１の筐体と前記第２の筐体は折り畳み可能に構成される携帯電話機であって、折り畳まれた状態で前記第２の筐体と対面する前記第１の筐体の面に第１表示手段を備え、第１の筐体の第１表示手段の背面に第２表示手段と撮像手段と機能切替を行うための決定ボタンと調整量の変更を行うための右ボタンおよび左ボタンを備えたことを特徴とする携帯電話機である。
【００２３】
本発明に従えば、携帯電話機が折り畳まれた時に外側に第２表示手段と決定ボタンと右ボタンおよび左ボタンがある。これによって、ユーザは折り畳んだ状態であっても撮影条件の調整や第２表示手段の表示設定において、右ボタンと左ボタンを用いて調整量の変更を行うことができる。
【００２４】
このように、ユーザは携帯電話機を開かなくても決定ボタンと右ボタンおよび左ボタンを押下することにより、調整や設定等の調整量の変更が可能になる。従って、閉じた状態で調整量の変更できる機能については、携帯電話機を開く必要がなくなり、操作性および利便性が向上する。
【００２５】
また、第３の発明は、第２の発明において、前記右ボタンおよび左ボタンは機能切替を行うための第２〜第３決定ボタンのいずれかと兼用することを特徴とする携帯電話機である。
【００２６】
本発明に従えば、右ボタンおよび左ボタンは第２〜第３決定ボタンのいずれかと兼用される。これによって、携帯電話機に右ボタンおよび左ボタン、第２〜第３決定ボタンを個別に設けなくても済む。従って、ボタンを兼用させ、携帯電話機の外面のボタン数を減らすことができ、部品コストの削減、装置の小型化が可能になる。
【００２７】
また、第４の発明は、第１の発明において、前記第２決定ボタンおよび第３決定ボタンはそれぞれ調整量の変更を行うための右ボタンおよび左ボタンのいずれかと兼用することを特徴とする携帯電話機である。
【００２８】
本発明に従えば、前記第２決定ボタンおよび第３決定ボタンは右ボタンおよび左ボタンのいずれかと兼用される。これによって、携帯電話機に第２決定ボタンおよび第３決定ボタン、右ボタンおよび左ボタンを個別に設けなくても済む。従って、ボタンを兼用させ、携帯電話機の外面のボタン数を減らすことができ、部品コストの削減、装置の小型化が可能になる。
【００２９】
また、第５の発明は、第１の筐体と、第２の筐体と、前記第１および第２の筐体を接続する連結部とを備えて、前記連結部によって前記第１の筐体と前記第２の筐体は折り畳み可能に構成される携帯電話機であって、折り畳まれた状態で前記第２の筐体と対面する前記第１の筐体の面に第１表示手段を備え、第１の筐体の第１表示手段の背面に第２表示手段と撮像手段と機能切替を行うための第１決定ボタンと第２決定ボタンと第３決定ボタンと第４の決定ボタンおよび第５の決定ボタンを備えたことを特徴とする携帯電話機である。
【００３０】
本発明に従えば、携帯電話機が折り畳まれた時に外側に第２表示手段と第１〜第５決定ボタンがある。これによって、ユーザは折り畳んだ状態であっても撮影機能の切り替えや第２表示手段の表示切り替え等の複数の切り替えを行うことができる。
【００３１】
このように、ユーザは携帯電話機を開かなくても第１〜第５決定ボタンを押下することにより、メニューモード、キーロック、ライトＯＮ／ＯＦＦ、カメラ起動、ライト点灯やピクト表示切替等の複数の機能切り替えが可能になる。従って、閉じた状態で切り替えできる機能については、携帯電話機を開く必要がなくなり、操作性および利便性が向上する。
【００３２】
また、第６の発明は、第１の筐体と、第２の筐体と、前記第１および第２の筐体を接続する連結部とを備えて、前記連結部によって前記第１の筐体と前記第２の筐体は折り畳み可能に構成される携帯電話機であって、折り畳まれた状態で前記第２の筐体と対面する前記第１の筐体の面に第１表示手段を備え、第１の筐体の第１表示手段の背面に機能切替を行うための決定ボタンと調整量の変更を行うための上ボタンと下ボタンと右ボタンおよび左ボタンを備えたことを特徴とする携帯電話機である。
【００３３】
本発明に従えば、携帯電話機が折り畳まれた時に外側に第２表示手段と決定ボタンと上ボタンと下ボタンと右ボタンおよび左ボタンがある。これによって、ユーザは折り畳んだ状態であっても撮影条件の調整や第２表示手段の表示設定において、上ボタンと下ボタンとを用いて調整項目の選択を行い、右ボタンと左ボタンを用いて調整量の変更を行い、決定ボタンで確定することができる。
【００３４】
このように、ユーザは携帯電話機を開かなくても上ボタンと下ボタンと右ボタンおよび左ボタンおよび決定ボタンを押下することにより、調整や設定等の項目を選択して調整量の変更を行い確定することが可能になる。従って、閉じた状態で調整量の変更できる機能については、携帯電話機を開く必要がなくなり、操作性および利便性が向上する。また、設定項目選択用のボタンと調整量変更用のボタンが独立していることから、ユーザの設定操作が容易になる。
【００３５】
また、第８の発明は、第５の発明において、前記上ボタンと下ボタンと右ボタンおよび左ボタンはそれぞれ調整量の変更を行うための第２〜第５決定ボタンのいずれかと兼用することを特徴とする携帯電話機である。
【００３６】
本発明に従えば、上ボタンと下ボタンと右ボタンおよび左ボタンは第２〜第５決定ボタンのいずれかと兼用される。これによって、携帯電話機に上ボタンと下ボタンと右ボタンおよび左ボタン、第２〜第５決定ボタンを個別に設けなくても済む。従って、ボタンを兼用させ、携帯電話機の外面のボタン数を減らすことができ、部品コストの削減、装置の小型化が可能になる。
【００３７】
また、第９の発明は、第１〜第８の発明において、前記第２表示手段は、前記撮像手段で撮影した撮影画像を表示することを特徴とする携帯電話機である。
【００３８】
本発明に従えば、撮像手段で撮影した画像を第２表示手段で表示することができることから、上記上下左右の方向ボタンや決定ボタンを操作することにより、撮影条件の調整や撮影画像の加工を行うことができる。従って、携帯電話機を開かなくても折り畳んだ状態で撮影条件の調整や撮影画像の加工することが可能になる。
【００３９】
また、第１０の発明は、第１〜第９の発明において、第１の筐体の第１表示手段の背面に、前記連結部側から前記撮像手段、前記第２表示手段、複数の前記ボタンの順に配置したことを特徴とする携帯電話機である。
【００４０】
本発明に従えば、撮像手段と各ボタンの間に第２表示手段が配置されることから撮像手段と各ボタンの間に一定の距離が確保できる。これによって、ユーザが撮影しようとする際にボタンを押すユーザの手が撮像手段に被さることを防ぐことができる。従って、ズーム操作等の撮影に関する各種設定時にユーザが撮像手段の位置を気にせずに各ボタンの操作ができることから、操作性および利便性が向上すると同時に、ユーザの指が撮像手段に触れて、レンズ等の部品に傷やゴミが付くことを防ぐことができ、結果として携帯電話機の耐久性の向上ならびに性能維持が図られる。
【００４１】
また、第１１の発明は、第１〜第１０の発明において、折り畳まれた状態で前記第１の筐体と対面する前記第２の筐体の面に複数の数字ボタンおよび操作ボタンを備えたことを特徴とする携帯電話機である。
【００４２】
本発明に従えば、携帯電話機を折り畳んだ状態で第１の筐体と第２の筐体の同じ面にボタンが配置されることになる。従って、ユーザは携帯電話機本体を折り畳んで操作した後、そのまま開いた状態でもユーザ側に本体側のボタン面が向くことになり、携帯電話機を持ち替えずにスムーズに操作することができる。
【発明を実施するための最良の形態】
【００４３】
この発明の実施の形態について図面を参照し説明する。図１は本発明の実施の一形態であるクラムシェルタイプのカメラ付携帯電話機１を開いた状態での外観を示す斜視図である。携帯電話機１は第１の筐体２と第２の筐体３からなり、第１の筐体２と第２の筐体３はヒンジ４を介して連結される。第１の筐体２と第２の筐体３は、ヒンジ４を軸として角変位自在に動くことで図３のように折り畳み可能に構成されている。
【００４４】
図１を参照して、携帯電話機１は第１の筐体２には第１表示部５を備える。第１表示部５は携帯電話機１が折り畳まれた時に内側に位置するように配置されている。第１表示部５は液晶ディスプレイやＥＬ（Ｅｌｅｃｔｒｏ  Ｌｕｍｉｎｅｓｃｅｎｔ）ディスプレイなどで構成され、後述する第１表示ドライバ部４３を介して与えられる画像データに基づく画像を表示する。また、第１表示部５の上部には通話時などに使用する第１のスピーカ６を備える。
【００４５】
次に本発明の実施の一形態である携帯電話機１の第２の筐体３について説明する。第２の筐体３には、数字および文字を入力するためのキーなどから構成される入力ボタン群７、携帯電話機１における各種設定／機能切替を行うための機能ボタン群８、電源のＯＮ／ＯＦＦ切替を行う電源ボタン９、シャッタ機能を能動化するために操作される第１のシャッタボタン１０、メール機能とガイダンス表示を行うメール／ガイダンス用ボタン１１、通話開始とスピーカ受話を行う開始／スピーカ受話ボタン１２、および機能選択画面での上下左右選択と決定を行う４方向ボタンと決定ボタンで構成されたマルチガイドボタン１３が、ユーザの操作が可能なように備えられる。さらに、第２の筐体３は下部に通話用のマイク１４を備える。
【００４６】
携帯電話機１の第２の筐体３のこれらの配置は、ヒンジ４、機能ボタン群８、入力ボタン群７、送話マイク１４の順番に配置するのが普通であるが、これに限定されるものではない。
【００４７】
図２または図３に示すように、第１の筐体２の第１表示部５の背面は、ヒンジ４側から順番にカメラ部２１とライト部２２が並んで配置され、第２表示部２０、第２のシャッタボタン２３および第２の操作ボタン２４ａと２４ｂが続いて配置される。
【００４８】
第２表示部２０は携帯電話機１が折り畳まれた時に筐体の外側に位置するように配置されて、液晶ディスプレイやＥＬディスプレイなどで構成される。ここでは第２表示部２０の表示可能領域は第１表示部５よりも小さいとしているが、大きくてもよく、また同じ大きさであってもよい。第２表示部２０には後述する第２表示ドライバ部４４を介して与えられる撮影による画像データ、ならびに時刻、電波強度およびメール受信などを報知するためのキャラクタ画像のデータに基づく画像が表示される。
【００４９】
このように第１表示部５および第２表示部２０のそれぞれは、開いた状態の第１の筐体２または第２の筐体３の外部に呈示される面において表示画面が外部に向けられるように設けられる。特に第２表示部２０は折り畳まれた状態の第１の筐体２または第２の筐体３のいずれかの外部に呈示される面において表示画面が外部を向くように設けられる。
【００５０】
これらの画像を表示する際に、第２表示ドライバ部４４から第２表示部２０に送られてくる画像データは、表示した時にヒンジ４方向が上になるように表示される。第２表示部２０は、ヒンジ４方向が上になるように画像表示を行うことにより、ユーザは携帯電話機１を折り畳んだ状態で使用する際に、ヒンジを上に向けて使用することになり、ユーザが携帯電話機１を開いた状態でも閉じた状態でも第２の筐体３の向きが変わらない。言い換えれば、携帯電話機１を開いたり閉じたりするたびに、携帯電話機１の向きを変えたり持ち替えたりする必要がなくなり、操作性および利便性が向上する。第２表示部２０での画像表示には撮像画像も含まれ、撮像画像を見る場合にも、携帯電話機１の向きを変えたり持ち替えたりする必要がなくなり、操作性および利便性が向上する。
【００５１】
また、後述するようにアンテナを第１の筐体２の背面から別の場所に移したことにより、第１の筐体２の背面に制約がなくなり、従来よりも大きなサイズの第２表示手段２０を設けることができ、テキストや撮像画像の大量の情報表示が可能である。さらに第２の操作ボタン群２４を設けることにより、携帯電話機１を閉じた状態であっても、メールの内容確認や住所録の参照、複数画像の順次表示等のさまざまな表示が第２表示部２０にて可能になる。第２表示部２０での画像表示には撮像画像も含まれ、ユーザは撮像画像を折り畳んだ状態でも第２表示部２０にて大きな画面で確認することができる。従って、撮像画像を見る場合にも、携帯電話機１を開いたり閉じたりする必要がなくなり、操作性および利便性が向上する。
【００５２】
カメラ部２１は撮像レンズとＣＣＤ（Ｃｈａｒｇｅ  Ｃｏｕｐｌｅｄ  Ｄｅｖｉｃｅ）イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの撮像素子およびＲＧＢの３色のカラーフィルタを備える。ここでは説明を簡単にするためにカメラ部２１は撮像素子としてＣＣＤイメージセンサ（以下、単にＣＣＤという）２９を有する。カメラ部２１は被写体で反射されて撮影レンズに入射した光を、カラーフィルタを通してＲＧＢの３色光に変換し、ＲＧＢの３色光はそれぞれＣＣＤ２９に入射する。図２に示すようにカメラ部２１は携帯電話機１が折り畳まれた時には第１表示部５の背面であって、かつヒンジ４と第２表示部２０との間に位置するように設けられる。ユーザは携帯電話機１を開いた状態でカメラ部２１により撮影する時には、第２の筐体３を持って撮影する。
【００５３】
カメラ部２１は上記配置により、結果的にヒンジ４の近くに設けられるので、第１の筐体２を持つ時、カメラ部２１の近辺を支持することから、撮影時にユーザによる手ブレの影響を減少させることができる。しかも、アンテナを第１の筐体２の背面から除いたことによる大きな第２表示部２０によって、被写体撮影時に、被写体からも大きな画面にて手ブレの少ない自画像を容易に確認することができる。
【００５４】
ライト部２２は、カメラ部２１で撮像する際の補助光源として使われる。一般的に、補助光源にはキセノン管を用いるものが多いが、最近ではＲＧＢのＬＥＤ（Ｌｉｇｈｔ  Ｅｍｉｔｔｉｎｇ  Ｄｉｏｄｅ）が用いられる。これらＬＥＤを同時発光させて、白色光の照明を得ることができる。
【００５５】
第２のシャッタボタン２３は、第１の筐体２の第１表示部５の背面中央に配置されて、かつ図３に示す携帯電話機１を折り畳んだ状態では第２表示部２０の下側に位置する。この位置に第２のシャッタボタン２３を配置することにより、ユーザは折り畳んだ状態で簡単にシャッタボタン２３の位置を確認し、容易にシャッタ操作することができる。
【００５６】
また、従来機種のように第１の筐体の側面等に小さく設けられた、位置の確認しづらいシャッタボタンを探す必要がなくなり、操作性および利便性が向上する。
【００５７】
また、第２のシャッタボタン２３は、カメラモード時のシャッタ操作以外にも各種ユーザ操作を決定する決定ボタンとしても利用できる。例えば、第２表示部２０の表示をメニュー画面に切替えたり、カメラモードへの切換、壁紙やライト光量／色の決定に利用する。
【００５８】
第２のシャッタボタン２３の両横には、第２表示部２０の表示情報を確認しながら各種のデータの設定または操作を行うための第２の操作ボタン２４ａと２４ｂが設けられている。第２の操作ボタン２４ａと２４ｂは、ピクト表示のＯＮ／ＯＦＦ切換やキーロック、ライトＯＮ／ＯＦＦ等の決定ボタンとして利用する。また、第２の操作ボタン２４ａと２４ｂは右ボタンおよび左ボタンとして、各種設定の調整量の変更等にも利用する。例えば、撮影時のズームインまたはズームアウト操作やライト部２２の光量調整や複数の画像を順送りしながらの表示または逆送りしながらの表示の動作などを行わせることができる。
【００５９】
この位置に第２の操作ボタン群２４を配置することにより、ユーザは折り畳んだ状態で簡単に第２の操作ボタン２４ａと２４ｂ位置を確認し、容易に第２の操作ボタン２４ａと２４ｂを操作することができる。
【００６０】
第２の筐体３の入力ボタン群７および機能ボタン群８の背面にはアンテナ部２５と昇降可能なヘリカル部２６、バッテリを格納するバッテリ部２７および着信音を鳴らすための第２のスピーカ２８を備えられる。
【００６１】
図３と図４を参照して、第１の筐体２はヒンジ４を通して第２の筐体３と機構的に接続されるが、ヒンジ４内には第１の筐体２と第２の筐体３を電気的に接続するための図示されない可撓性基板が組み込まれている。第１の筐体２のヒンジ付近には可撓性基板やケーブルを第１の筐体２内に設けられた各種基板に接続するためのコネクタがあり、このコネクタの厚みが第１の筐体２の厚みに最も影響する。一方、カメラ部２１の厚みは前記コネクタの厚みよりも薄いため、前記コネクタ近辺にカメラ部２１を配置しても、第１の筐体２の厚みには影響しない。したがって、従来の携帯電話機は、カメラ部が第１の筐体２の先端付近（図３での下方付近）に配置されていたために、カメラ部の厚みによって、アンテナ部を除いた第１の筐体２の先端付近の厚みが決まっていたが、カメラ部をアンテナ部２５と第２表示部２０の間、すなわちヒンジ４付近に配置したことから第１の筐体２の中央部は第２表示部２０の厚みを確保し、第１の筐体２の先端付近に至ってはさらなる薄型化／小型化が可能になった。図４に示すように、第１の筐体２は中央部から先端部にかけて曲線状に厚みが狭まっているが、折り畳んだ状態で携帯電話機１の下部に相当する第１の筐体２の先端付近が薄型化される形状にすることにより、ユーザが洋服のポケット等に携帯電話機１を収納する際に収納しやすく、利便性が向上している。
【００６２】
また、カメラ部２１と第２のシャッタボタン２３または第２の操作ボタン２４ａと２４ｂの間に第２表示部を配置することによりカメラ部２１と第２のシャッタボタン２３または第２の操作ボタン２４ａと２４ｂの間に一定の距離が保つことが可能になる。ユーザが第２のシャッタボタン２３または第２の操作ボタン２４ａと２４ｂを操作する際に、ユーザの指が誤ってカメラ部２１に触れたり、カメラ部２１の視界を遮ることを防ぐことができる。ユーザの指がカメラ部２１に触れて、レンズ等の部品に傷やゴミが付くことを防ぐことは、結果として携帯電話機の耐久性の向上ならびに性能維持が図られる。
【００６３】
さらに、折り畳んだ状態でヒンジ４側を上にして持つように構成することにより、ユーザが折り畳んだ状態で携帯電話機１を持った時に、ユーザの手でカメラ部２１を塞ぐことがなくなり、カメラ部２１の位置を気にせずに携帯電話機１を持つことができる。
【００６４】
本発明の実施の一形態である携帯電話機１を用いてカメラ撮影を行う場合の利用方法を、図５（ａ）と（ｂ）を用いて説明する。図５（ａ）に示す被写体３０を撮影する場合の一般的な利用方法では、ユーザは携帯電話機１を開き、カメラ部２１を被写体３０に向けて撮影してユーザは第１表示部５をファインダとして利用する。シャッタ操作のためには第１のシャッタボタン１０を使用するが、第１の筐体２の背面に備えた第２のシャッタボタン２３を使用することも可能である。図５（ｂ）にはユーザがカメラ部２１を用いてユーザ自身を撮影する場合の一般的な利用方法が示される。この場合、ユーザは第２表示部２０をファインダとして利用することにより、撮影されたユーザ自身の画像を確認しながら第２シャッタボタン２３を押下することによりシャッタ操作することができる。
【００６５】
一般的な携帯電話機では、第２表示部２０で画像を表示する際には、画面確認時の違和感をなくすため、画像を左右反転させて鏡に映した像のように表示することが多いが、それに限定されるものではない。なお、本発明の実施の一形態である携帯電話機１では、折り畳んだ状態でユーザ自身を撮影できるので使い勝手が良い。なお、ユーザ自身の撮影は携帯電話機１を折り畳んだ状態で使用する形態に限定されず、開いた状態で撮影することもできる。
【００６６】
また、携帯電話機１を折り畳んだ状態で第１の筐体２と第２の筐体３の同じ面にボタンが配置されるよう構成されているため、ユーザが携帯電話機１を折り畳んで操作した後に開いて操作する場合、もしくはその逆の場合に、第２の筐体３を持ったまま第１の筐体２の開閉を行うだけで、ユーザによるボタン入力操作が可能であり、携帯電話機１を持ち替えずにスムーズに操作することができる。
【００６７】
次に本発明の実施の一形態である携帯電話機１のアンテナ部２５について詳細に説明する。図６は携帯電話機１の第２の筐体３の断面図である。アンテナ部２５のホイップ部３０が２の筐体３内の左端側に格納可能に構成されており、ヘリカル部２６は筐体外に露出している。ホイップ部３０とヘリカル部２６は、通話時の電波強度に応じて第２の筐体３から引き出し可能である。また、必ずしも上記ホイップ部３０とヘリカル部２６で構成されるアンテナに限定される必要はなく、例えば図７に示すように、逆Ｆ型内蔵アンテナ３２を第２の筐体３のヒンジ４近く上部（図７（ａ））、もしくは第１の筐体２の上部（図７（ｂ））に配置してもよい。
【００６８】
次に携帯電話機１の内部構成について、内部ブロック図である図８を参照して説明する。携帯電話機１は第１および第２表示部５および２０、第１および第２のシャッタボタン１０および２３、カメラ部２１、赤色、緑色および青色のＬＥＤ２２Ｒ、２２Ｇおよび２２Ｂからなるライト部２２、アンテナ部２５、無線部５０、通信制御部５１、第１、第２および第３メモリ４２、４８および５２、第１および第２表示ドライバ部４３および４４、第１および第２バックライト４５および４６、各部の機能を制御する制御部４０、画像処理部４１、第１および第２の操作ボタン群４７および２４、ならびに開閉検出部４９を備える。
【００６９】
制御部４０は各部の機能、例えばシャッタ操作の機能、バックライトの機能、補助光源の機能および表示機能などを制御する。画像処理部４１は図示されない増幅部、Ａ／Ｄ（アナログ／デジタル）変換部および信号処理部ならびに反転処理部４１Ａを有する。増幅部は、カメラ部２１からＲＧＢに対応した電気信号を入力して増幅し、Ａ／Ｄ変換部に出力する。Ａ／Ｄ変換部は増幅部で変換されたＲＧＢに対応した電気信号（アナログ）をデジタル信号に変換して画像データを信号処理部に出力する。信号処理部は、Ａ／Ｄ変換部から入力した画像データに対して、画素の補間処理などの信号処理をして反転処理部４１Ａに与える。反転処理部４１Ａは、画像データを入力すると、制御部４０から反転制御信号５５が与えられたときは入力画像データを対応の画像が１８０度回転するように１８０度回転処理して出力するが、反転制御信号５５が与えられないときは入力画像データをそのまま出力する。反転処理部４１Ａから出力される画像データは第１および第２メモリ４２と４８に与えられる。
【００７０】
カメラ部２１および画像処理部４１は、被写体３０からの反射光を受光して電気信号に変換してフレーム単位の画像データとして出力する撮影部である。第１および第２メモリ４２および４８は、連続的に与えられる複数フレームの画像データを制御部４０の制御により一時的に記憶する。たとえば、与えられた新たな画像データを入力して記憶する際には、第１および第２メモリ４２および４８に記憶される複数の画像データのうち既に長時間記憶されていた画像データは消去されるか、あるいは入力した新しい画像データにより上書きされる。
【００７１】
制御部４０は、第１および第２表示ドライバ部４３および４４に制御信号を送信するとともに、第１および第２メモリ４２および４８に記憶された画像データを読み出して第１および第２表示ドライバ部４３および４４にそれぞれ与える。第１および第２表示ドライバ部４３および４４は、第１および第２表示部５および２０に表示すべきデータに従って、すなわち第１および第２メモリ４２および４８から読み出されたデータに従って、第１および第２表示部５および２０の各画素電極に対して駆動電圧を印加する。
【００７２】
第１および第２バックライト４５および４６は発光素子である発光ダイオードなどから構成され、第１および第２表示部５および２０に光を照射して表示画像の輝度を増加させる。第１および第２バックライト４５および４６の点灯および消灯の制御ならびに輝度調整などの制御は、制御部４０によって行われる。第１および第２バックライト４５および４６は各々独立して制御することが可能であり、画像が第１表示部５に表示されている時は第１バックライト４５が、第２表示部２０に表示されている場合は第２バックライト４６が点灯するように制御される。なお、第１および第２バックライト４５および４６はユーザによって消灯するための所定の操作が行われるまで点灯する構成としてもよいし、点灯してから所定時間が経過すると消灯する構成としてもよい。
【００７３】
第１の操作ボタン群４７は前述した第２の筐体３の入力ボタン群７と機能ボタン群８から構成される。第２の操作ボタン群２４は第１の筐体２に設置されている操作ボタン２４ａと２４ｂを含む。
【００７４】
第１および第２のシャッタボタン１０および２３は、シャッタ操作のために押下される。第１（第２）のシャッタボタン１０（２３）が押下されると、制御部４０にはシャッタ指示５６（５７）が与えられる。制御部４０はシャッタ指示５６（５７）を入力すると、第１メモリ４２および第２メモリ４８に連続的に書き込まれて一時的に記憶されている複数の画像データのうち、ユーザが保存を希望する画像データを読み出して、第３メモリ５２に書き込んで格納する。これにより、ユーザが希望する画像データは第３メモリ５２において保存される。ここでは、説明を簡単にするために第１メモリ４２および第２メモリ４８に格納された最新の画像データが読み出されて保存される。
【００７５】
開閉検出部４９は携帯電話機１が折り畳まれているか否かを検出する。ヒンジ４内部には開閉状態を検知するために図示しない検出スイッチが設けられており、検出された状態（開状態および閉状態のいずれか）に応じた検出信号５３が制御部４０に出力される。制御部４０は、検出スイッチから入力する検出信号５３によって携帯電話機１が折り畳まれているか（閉状態）、開状態であるかを判断できる。
【００７６】
アンテナ部２５、無線部５０および通信制御部５１は、無線電波を介して図示されない基地局と無線通信を行うときに、制御部４０の制御に従い、音声データ、文字データおよび画像データなどを送受信する。受信したデータは制御部４０により第３メモリ５２に格納される。
【００７７】
図８に示す本発明の実施の一形態である携帯電話機１はテレビジョン信号も受信可能であり、アンテナ部２５から、無線通信用電波とテレビジョン放送信号波を分離するための分波器５８を備えている。分波器５８は無線通信用電波を無線部５０に、テレビジョン信号放送波をチューナ５９に送る。テレビジョン信号放送波を受信したチューナ５９は、受信したチャンネルの信号を信号処理回路６０に出力する。信号処理回路６０ではチューナ５９から入力した信号を映像信号および音声信号に分離し、制御部４０の制御に従い、映像信号は第１表示部５または第２表示部２０に、音声信号は第１のスピーカ８または第２のスピーカ２８にて出力される。
【００７８】
制御部４０は、第１メモリに一時的に保存されている画像データに基づく画像を表示する表示部を、開閉検出部４９の検出結果に基づいて切り換える。開閉検出部４９によって、携帯電話機１が折り畳まれていることが検出された場合、制御部４０は、第１メモリ４２からの画像データを第２表示ドライバ部４４に出力し、第２表示部２０に画像を表示させる。開閉検出部４９によって、携帯電話機１が折り畳まれていない（開いている）ことが検出された場合、制御部４０は、第１メモリ４２からの画像データを第１表示ドライバ部４３に出力し、第１表示部５に画像を表示させる。
【００７９】
前述のようにカメラ部２１は、携帯電話機１が折り畳まれたときは撮影の方向は外側に設けられているので、携帯電話機１のユーザ以外の被写体を撮像するときは、図５（ａ）に示すように、ユーザは、携帯電話機１を開いた状態でカメラ部２１をユーザと反対側にある被写体３０側に向けて撮像する。この状態では、カメラ部２１から出力された画像データに基づく画像が第１表示部５に表示される。これによって、ユーザは第１表示部５を撮像時のファインダとして使用することができる。
【００８０】
一方、ユーザ自身を被写体として撮像するときは、図５（ｂ）に示すように、ユーザは、携帯電話機１を折り畳んだ状態でカメラ部２１をユーザ側に向けて撮影する。この状態では、カメラ部２１から出力された画像データに基づく画像が第２表示部２０に表示される。これによって、ユーザは第２表示部２０を撮影時のファインダとして使用することができる。
【００８１】
本発明の実施の一形態である携帯電話機１は、ユーザが携帯電話機１の第２の筐体３を固定したまま、第１の筐体２を折り畳むもしくは開くだけで、撮像時にファインダとして使用する表示部５，２０が適切に切り換わり、撮影可能となるので、ユーザは被写体を切り替えるために、従来の携帯電話のように第２の筐体３を持ち替える必要がなくなり、被写体を切り替える際のユーザの手間を省くことができ、操作性および利便性が向上する。
【００８２】
第１および第２バックライト４５，４６の制御について説明する。
制御部４０は、開閉検出部４９の検出結果に基づいて、第１および第２バックライト４５，４６の点灯、消灯を切り換える。開閉検出部４９によって、携帯電話機１が折り畳まれていることが検出された場合、制御部４０は、第２バックライト４６を点灯し、第２表示部２０の輝度を増加させる。開閉検出部４９によって、携帯電話機１が開いていることが検出された場合、制御部４０は、第１バックライト４５を点灯し、第１表示部５の輝度を増加させる。
【００８３】
前述のように、ユーザが被写体をユーザ自身以外として撮像するときは、第１表示部５がファインダとして使用され、カメラ部２１から取り込まれた画像データが第１表示部５に表示される。このとき、第１バックライト４５が点灯し、第１表示部５の輝度を増加させる。
【００８４】
一方、ユーザが被写体をユーザ自身として撮像するときは、第２表示部２０がファインダとして使用され、カメラ部２１から取り込まれた画像データが第２表示部２０に表示される。このとき、第２バックライト４６が点灯し、第２表示部２０の輝度を増加させる。
【００８５】
このように、携帯電話機１を折り畳む、もしくは開くと、ファインダとして使用する表示部に光を供給するバックライトが点灯するので、表示された画像が見やすくなり、視認性が向上する。
【００８６】
図９は、第２のシャッタボタン２３と第２の操作ボタン２４ａおよび２４ｂの操作割り当てを表形式にして示したものである。携帯電話機１には通常モードとカメラモードの２つのモードがある。携帯電話機１の電源投入後は通常モードであり、カメラ撮影するためには、カメラ機能を起動し表示部をファインダとして利用するためにカメラモードに切り替える必要がある。
【００８７】
なお、本発明の実施において、図９に示された全ての機能切替と調整量の変更を第２のシャッタボタン２３と第２の操作ボタン２４ａおよび２４ｂに割り当てる必要はなく、携帯電話機１の製造者が必要に応じていくつかの切替／変更を上記ボタンに割り当てればよい。また、図９において、網掛け部分は機能切替を行うための決定ボタンとして利用し、網掛けでない部分は調整量の変更を行うための各方向ボタンとして利用することを示す。
【００８８】
電源投入後の発着信のない状態は一般的に待ち受け状態と呼ばれ、第２表示部２０にはユーザが設定した待ち受け画像や時計等の待ち受け画面が表示されている。第２表示部２０では待ち受け画面とともに図１０に示すピクト表示を行うことが可能であり、第２の操作ボタン２４ａを押下することによって、ピクトの表示／非表示を切り替えることができる。
【００８９】
また、第２の操作ボタン２４ａを２秒以上押下することにより、第２のシャッタボタン２３と第２の操作ボタン２４ａおよび２４ｂをロックすることができる。第２のシャッタボタン２３と第２の操作ボタン２４ａおよび２４ｂは携帯電話機１を折り畳んだ状態であっても外部に露呈する面に設けられていることから、ユーザが意思とは関係なく何らかの接触により押下されてしまうこともあり、キーロック状態にすることにより、第２のシャッタボタン２３と第２の操作ボタン２４ａおよび２４ｂが押下されたとしても無効化することができる。キーロックの解除は再度第２の操作ボタン２４ａを２秒以上押下することにより解除される。
【００９０】
また、第２の操作ボタン２４ｂを押下すると、押下している間だけライト部２２が点灯し、２秒以上押下することにより、ライト部２２が常時点灯に切り替わる。また常時点灯時に２秒以上押下することによりライト部２２を消灯することができる。このような設定にすることにより、ユーザはライト部２２を手動で点滅させたり、懐中電灯のように常時点灯させることが可能になり、ライト部の利用価値が広がる。
【００９１】
待ち受け状態で第２のシャッタボタン２３を押下すると第２表示部２０の最下段に左の矢印表示、選択項目、右の矢印表示が順番に表示される。ここで第２の操作ボタン２４ｂは順送りの選択ボタンであり、第２の操作ボタン２４ｂを押す度に第２表示部２０の矢印キー表示に挟まれた選択項目の領域には、壁紙設定→画像確認→ライト光量→ライト色→音声着信→メール着信→表示終了→壁紙設定と選択項目が順番に切り替わる。また、第２の操作ボタン２４ａは逆送りの選択ボタンであり、メール着信→音声着信→ライト色→ライト光量→画像確認→壁紙設定→表示終了→メール着信の順に選択項目が切り替わる。ユーザが第２の操作ボタン２４ａまたは２４ｂで選択後に、ここでは決定キーを意味する第２のシャッタボタン２３を押下すると、ユーザが選択した項目の操作に移る。
【００９２】
壁紙設定モードは、第２表示部２０に表示される待ち受け画像の設定を行うためのモードである。ここでは携帯電話機１の第３メモリ５２に保存された壁紙画像や撮影画像等の画像ファイル、時計機能、アニメーション表示、ＪＡＶＡ（登録商標）アプリケーションの表示を選択設定することができる。ユーザが第２の操作ボタン２４ａまたは２４ｂを押下する毎に第２表示部２０の表示内容が切り替わり、ここでは決定キーを意味する第２のシャッタボタン２３を押下することによって、設定を完了し、待ち受け状態に戻る。
【００９３】
画像確認モードは、カメラ部２１で撮影し第３メモリ５２に保存された画像を確認表示するためのモードである。ユーザが第２の操作ボタン２４ａ（順送り）または２４ｂ（逆送り）を押下する度に第２表示部２０に撮影画像が順番に表示される。他の画像とは区別して撮影画像のみを表示させるための方法として、撮影した画像は携帯電話機１の第３メモリ内の所定のフォルダに保存するように予め設定し、そのフォルダに保存された画像を順次表示するか、カメラ部２１で撮影し保存する際にその画像ファイルに対してフラグを立てておき、フラグの立っている画像ファイルのみを表示するという方法でも良い。
【００９４】
ライト光量モードは、ライト部２２の光量を調整するためのモードである。図１１に示すように、ライト光量モードでは、第２表示部２０の最下段に左右の矢印表示と現在の光量を示すインジケータが画面水平方向に表示される。ユーザが第２の操作ボタン２４ａ（明るく）または２４ｂ（暗く）を押下する度にインジケータの長さが短くなるか長くなり、それに連動してライト部２２の光量も変化する。
【００９５】
ライト色モードは、ライト部２２の発光色を変更するためのモードである。ライト部２２は赤色ＬＥＤ２２Ｒと緑色ＬＥＤ２２Ｇと青色ＬＥＤ２２Ｂにて構成するため、各ＬＥＤの発光の組み合わせにより、白色光以外の例えば赤色、緑色、青色、黄色、紫色、水色の発光が可能である。ユーザが第２の操作ボタン２４ａ（順送り）または２４ｂ（逆送り）を押下する度にライト部２２は発光色が切り替わる。
【００９６】
音声着信履歴モードは、音声着信の履歴を表示するためのモードである。携帯電話機１に音声着信があると、その履歴が第３メモリに保存されており、いつ誰から電話がかかってきたのか表示することができる。第２表示部２０には、着信時刻と発信者の電話番号または名前が表示され、ユーザが第２の操作ボタン２４ａ（新しい着信）または２４ｂ（古い着信）を押下する度に第２表示部２０の着信履歴が切り替わる。
【００９７】
メール表示モードは、受信したメールを閲覧するためのモードである。第２表示部２０には、件名および発信者が表示され、ユーザが第２のシャッタボタン２３を押下すると、メールの本文が表示される。また、ユーザが第２の操作ボタン２４ａ（新しいメール）または２４ｂ（古いメール）を押下する度に第２表示部２０の着信履歴が切り替わる。メール表示モードを終了するためには、ユーザが第２のシャッタボタン２３を長押しすると終了する。
【００９８】
音声着信履歴モードおよびメール表示モードには、待ち受け状態から選択項目を選択してモードに入る以外にも、音声着信またはメール受信があった場合に、第２のシャッタボタン２３を押下することによって、モードに入ることも可能である。音声着信またはメール受信から所定の時間だけ第２表示部２０に特定の表示を行い、前記特定の表示がある時のみ、ユーザが第２のシャッタボタン２３を押下すると、前述した選択項目が表示されるのではなく、音声着信履歴モードまたはメール表示モードに入ることができる。
【００９９】
また、携帯電話機１はテレビチューナ５９を備えていることから、第２表示部２０にてテレビを表示することができる。テレビ表示時においては、ユーザが第２の操作ボタン２４ａおよび２４ｂの操作の操作によってチャンネル切り替えおよび音量調整を行うことができる。チャンネル切り替えと音量調整の切り替えはユーザがシャッタボタン２３を押下することにより、どちらを調整するか切り替えることができる。
【０１００】
また、携帯電話機１の第３メモリに蓄えられたＭＰ３データの再生をシャッタボタン２３および第２の操作ボタン２４ａおよび２４ｂにて操作することができる。
【０１０１】
次にカメラモード時の第２のシャッタボタン２３および第２の操作ボタン２４ａおよび２４ｂの操作を説明する。カメラモードへは、待ち受け状態時にユーザが第２のシャッタボタン２３を長押しすることにより、カメラ部２１が起動しカメラモードに入る。カメラモード時に第２のシャッタボタン２３を押すことにより、シャッタ操作が行われる。
【０１０２】
また、ユーザが第２の操作ボタン２４ｂを押下すると、押下する度にライト部２２が発光色を変えて（白色→赤色→緑色→青色→黄色→紫色→水色→白色）、押下している間だけ点灯し、２秒以上押下することにより、その時点での発光色にてライト部２２が常時点灯に切り替わる。また常時点灯時に２秒以上押下することによりライト部２２を消灯することができる。
【０１０３】
また、ユーザが第２の操作ボタン２４ａを押下すると、カメラモードにおいての設定が可能になる。図８に示した例では、ユーザが第２の操作ボタン２４ａを一度押下すると、第２表示部２０の最下段に「ズーム」の文字が表示され、続けてここでは決定キーを意味する第２シャッタボタン２３を押下すると、ズーム調整モードに移る。第２シャッタボタン２３を押下せずに、第２の操作ボタン２４ａを続けて押下すると、ズーム調整→明るさ調整→ライト光量モード→ライト色モード→調整終了と切り替わる。ユーザは所望の調整項目が表示された時に決定キーを意味する第２シャッタボタン２３を押下して各調整モードに入る。
【０１０４】
ズーム調整モードは、カメラ撮影時のズームを調整するためのモードである。前述のライト光量モードと同様に、第２表示部２０の最下段に左右の矢印表示と現在のズーム状態を示すインジケータが画面水平方向に表示される。ユーザが第２の操作ボタン２４ａ（ズームイン）または２４ｂ（ズームアウト）を押下する度にインジケータの長さが短くなるかもしくは長くなり、それに連動してズームが調整される。ズーム調整後、第２シャッタボタン２３を押下することにより、調整モードは終了し、第２シャッタボタン２３を押下してシャッタ操作が可能になる。
【０１０５】
明るさ調整モードは、撮影画像の輝度を調整するためのモードである。前述のライト光量モードと同様に、第２表示部２０の最下段に左右の矢印表示と現在の光量を示すインジケータが画面水平方向に表示される。ユーザが第２の操作ボタン２４ａ（明るく）または２４ｂ（暗く）を押下する度にインジケータの長さが短くなるか長くなり、それに連動して表示画像の輝度の調整が制御部４０よって行われる。
【０１０６】
ここではシャッタ操作前の段階で明るさ調整を行っているが、撮影後に撮影画像の明るさ調整を行うか、このままの画像で保存を行うかのユーザ確認画面を第２表示部に表示し、ユーザが明るさ調整を希望した場合に明るさ調整モードに入るようにしてもよい。その場合、ユーザが明るさ調整を完了した後に調整済み画像を第３メモリ５２に保存することができる。撮影後画像保存前に画像調整を行うようにすれば、撮影画像の明るさ調整以外にも、画像の色合いやタッチ、フレーム等の画像装飾を第２シャッタボタン２３と第２の操作ボタン２４を用いて設定することができる。
【０１０７】
ライト光量モードは、ライト部２２の光量を調整するためのモードである。ライト光量モードでは、第２表示部２０の最下段に左右の矢印表示と現在の光量を示すインジケータが画面水平方向に表示される。ユーザが第２の操作ボタン２４ａ（明るく）または２４ｂ（暗く）を押下する度にインジケータの長さが短くなるか長くなり、それに連動してライト部２２の光量も変化する。
【０１０８】
ライト色モードは、ライト部２２の発光色を変更するためのモードである。ライト部２２は赤色ＬＥＤ２２Ｒと緑色ＬＥＤ２２Ｇと青色ＬＥＤ２２Ｂにて構成するため、各ＬＥＤの発光の組み合わせにより、白色光以外の例えば赤色、緑色、青色、黄色、紫色、水色の発光が可能である。ユーザが第２の操作ボタン２４ａ（順送り）または２４ｂ（逆送り）を押下する度にライト部２２は発光色が切り替わる。
【０１０９】
次に、本発明の実施の他の形態を図１２に示す。図１２に示す携帯電話機７０は、第１の筐体７１の背面に、ヒンジ４から順番にカメラ部２１とライト部２２が並んで配置され、続いて第２表示部２０が配置される。第２表示部２０に続いて携帯電話機７０の特徴であるマルチボタン７２が配置される。マルチボタン７２は、シャッタ／決定ボタン７２ａ、上方向ボタン７２ｂ、下方向ボタン７２ｃ、右方向ボタン７２ｄおよび左方向ボタン７２ｅの５つのボタンを一体化したものである。なお、先に説明した携帯電話機１と共通するものについては、同一符号を付けている。
【０１１０】
図１３は、マルチボタン７２の操作割り当てを表形式にして示したものである。携帯電話機７０には通常モードとカメラモードの２つのモードがある。携帯電話機７０の電源投入後は通常モードであり、カメラ撮影するためには、カメラ機能を起動し表示部をファインダとして利用するためにカメラモードに切り替える必要がある。
【０１１１】
マルチボタン７２は上方向ボタン７２ｂおよび下方向ボタン７２ｃを押下することにより、各種設定の選択を可能にし、左方向ボタン７２ｅおよび右方向ボタン７２ｄを押下することにより、上方向ボタン７２ｂおよび下方向ボタン７２ｃにて選択された各種設定モードにおける調整量の変更を可能にする。一例を挙げると、通常モードの待ち受け状態の時に、下方向ボタン７２ｃを１回押下すると、ライトＯＮ／ＯＦＦ設定になり、続いて２回押下すると画像確認モードになる。画像確認モードにおいて右方向ボタン７２ｄを押下すると、カメラ部２１で撮影し第３メモリ５２に保存された画像が順送りで第２表示部２０に表示される。逆に左方向ボタン７２ｅを押すことにより、画像が逆送りで第２表示部２０に表示される。
【０１１２】
なお、本実施例では上方向ボタン７２ｂおよび下方向ボタン７２ｃを調整項目を変更するためのボタンとして説明したが、マルチボタン７２の全てのボタン（７２ａ〜７２ｅ）をピクト表示のＯＮ／ＯＦＦ切換やキーロック、ライトＯＮ／ＯＦＦ等の決定ボタンとして操作割り当てをしてもよい。
【０１１３】
図１４は図１３を改良したマルチボタン７２の操作割り当てを表形式にして示したものである。携帯電話機７０の設定時の動作モードとして、通常モード、カメラモードの他に、メール表示モード、ＴＶモード、ＭＰ３再生モードを独立して設定可能にしたものである。
【０１１４】
メール表示モードは、携帯電話機７０でのメール受信直後もしくはユーザによる特定の操作（例えば決定ボタン７２ａをダブルクリックする）にてメール表示モードに入ることができる。メール表示モードにおいてユーザが決定ボタン７２ａを押下すると、最新のメールの本文が第２表示部２０に表示される。メール本文が長く第２表示部２０にすべての文章を表示できない場合、その一部が第２表示部２０に表示されるが、下方向ボタン７２ｃを押下することによって、第２表示部２０の画面を下方向にスクロールさせ、メールの続きを表示させることができる。また、上方向ボタン７２ｂを押下することによって、第２表示部２０の画面を上方向にスクロールさせ、メールの先頭を表示させることができる。左方向ボタン７２ｅを押下することにより、現在表示しているメールよりも１つ前の古いメールを表示し、右方向ボタン７２ｄを押下することにより、現在表示しているメールよりも１つ新しいメールを表示することができる。メール表示モードを終了させる場合には、決定ボタン７２ａをダブルクリックすることにより、携帯電話機７０は待ち受けモードに戻り、第２表示部２０には待ち受け画像が表示される。
【０１１５】
ＴＶモードは、ユーザによる特定の操作にてＴＶモードに入ることができる。図１３にて説明したマルチボタン７２の操作割り当てでは、受信チャンネルの切り換えと音量調整に右方向ボタン７２ｄおよび左方向ボタン７２ｅを兼用しており、決定ボタン７２ａを押下することにより、受信チャンネルの切り換えと音量調整を切り換えていたが、ここでは、受信チャンネルの切り換えには右方向ボタン７２ｄおよび左方向ボタン７２ｅを、音量調整には上方向ボタン７２ｂおよび下方向ボタン７２ｃを割り当てて、操作を簡単にしている。
【０１１６】
ＭＰ３再生モードは、ユーザによる特定の操作にてＭＰ３再生モードに入ることができる。図１３にて説明したマルチボタン７２の操作割り当てでは、再生操作と音量調整に右方向ボタン７２ｄおよび左方向ボタン７２ｅを兼用しており、決定ボタン７２ａを押下することにより、再生操作と音量調整を切り換えていたが、ここでは、再生操作には右方向ボタン７２ｄおよび左方向ボタン７２ｅを、音量調整には上方向ボタン７２ｂおよび下方向ボタン７２ｃを割り当てて、操作を簡単にしている。
【０１１７】
以上のように、携帯電話機１（７０）に複数の決定ボタンまたは方向ボタンを設けることにより、携帯電話機１（７０）を折り畳んだ状態においても、各種の調整、設定及び切換が可能になり、携帯電話機１（７０）を開いて操作する動作が不要になる。また、携帯電話機１（７０）を折り畳んだコンパクトな状態で様々な用途で使えるため、利便性が向上する。また、ボタン配置を工夫したことにより、ユーザの操作性が向上する。
【０１１８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１１９】
以上のように本発明によれば、携帯電話機が折り畳まれた時に外側に第２表示手段と第１〜第３決定ボタンがある。これによって、ユーザは折り畳んだ状態であっても撮影機能の切り替えや第２表示手段の表示切り替え等の複数の切り替えを行うことができる。
【０１２０】
このように、ユーザは携帯電話機を開かなくても第１〜第３決定ボタンを押下することにより、カメラ起動、ライト点灯やピクト表示切替等の複数の機能切り替えが可能になる。従って、閉じた状態で切り替えできる機能については、携帯電話機を開く必要がなくなり、操作性および利便性が向上する。
【０１２１】
また、本発明によれば、携帯電話機が折り畳まれた時に外側に第２表示手段と決定ボタンと右ボタンおよび左ボタンがある。これによって、ユーザは折り畳んだ状態であっても撮影条件の調整や第２表示手段の表示設定において、右ボタンと左ボタンを用いて調整量の変更を行うことができる。
【０１２２】
このように、ユーザは携帯電話機を開かなくても決定ボタンと右ボタンおよび左ボタンを押下することにより、調整や設定等の調整量の変更が可能になる。従って、閉じた状態で調整量の変更できる機能については、携帯電話機を開く必要がなくなり、操作性および利便性が向上する。
【０１２３】
また、本発明によれば、前記右ボタンおよび左ボタンはそれぞれ前記第１〜第３決定ボタンのいずれかと兼用することを特徴とする携帯電話機である。これによって、携帯電話機に右ボタンおよび左ボタン、第１〜第３決定ボタンを個別に設けなくても済む。従って、ボタンを兼用させ、携帯電話機の外面のボタン数を減らすことができ、部品コストの削減、装置の小型化が可能になる。
【０１２４】
また、本発明によれば、携帯電話機が折り畳まれた時に外側に第２表示手段と第１〜第５決定ボタンがある。これによって、ユーザは折り畳んだ状態であっても撮影機能の切り替えや第２表示手段の表示切り替え等の複数の切り替えを行うことができる。
【０１２５】
このように、ユーザは携帯電話機を開かなくても第１〜第５決定ボタンを押下することにより、メニューモード、キーロック、ライトＯＮ／ＯＦＦ、カメラ起動、ライト点灯やピクト表示切替等の複数の機能切り替えが可能になる。従って、閉じた状態で切り替えできる機能については、携帯電話機を開く必要がなくなり、操作性および利便性が向上する。
【０１２６】
また、本発明によれば、携帯電話機が折り畳まれた時に外側に第２表示手段と決定ボタンと上ボタンと下ボタンと右ボタンおよび左ボタンがある。これによって、ユーザは折り畳んだ状態であっても撮影条件の調整や第２表示手段の表示設定において、上ボタンと下ボタンとを用いて調整項目の選択を行い、右ボタンと左ボタンを用いて調整量の変更を行い、決定ボタンで確定することができる。
【０１２７】
このように、ユーザは携帯電話機を開かなくても上ボタンと下ボタンと右ボタンおよび左ボタンおよび決定ボタンを押下することにより、調整や設定等の項目を選択して調整量の変更を行い確定することが可能になる。従って、閉じた状態で調整量の変更できる機能については、携帯電話機を開く必要がなくなり、操作性および利便性が向上する。また、設定項目選択用のボタンと調整量変更用のボタンが独立していることから、ユーザの設定操作が容易になる。
【０１２８】
また、本発明によれば、上ボタンと下ボタンと右ボタンおよび左ボタンは第１〜第５決定ボタンのいずれかと兼用される。これによって、携帯電話機に上ボタンと下ボタンと右ボタンおよび左ボタン、第１〜第５決定ボタンを個別に設けなくても済む。従って、ボタンを兼用させ、携帯電話機の外面のボタン数を減らすことができ、部品コストの削減、装置の小型化が可能になる。
【０１２９】
また、本発明によれば、撮像手段で撮影した画像を第２表示手段で表示することができることから、上記上下左右の方向ボタンや決定ボタンを操作することにより、撮影条件の調整や撮影画像の加工を行うことができる。従って、携帯電話機を開かなくても折り畳んだ状態で撮影条件の調整や撮影画像の加工することが可能になる。
【０１３０】
また、本発明によれば、撮像手段と各ボタンの間に第２表示手段が配置されることから撮像手段と各ボタンの間に一定の距離が確保できる。これによって、ユーザが撮影しようとする際にボタンを押すユーザの手が撮像手段に被さることを防ぐことができる。従って、ズーム操作等の撮影に関する各種設定時にユーザが撮像手段の位置を気にせずに各ボタンの操作ができることから、操作性および利便性が向上すると同時に、ユーザの指が撮像手段に触れて、レンズ等の部品に傷やゴミが付くことを防ぐことができ、結果として携帯電話機の耐久性の向上ならびに性能維持が図られる。
【０１３１】
また、本発明によれば、携帯電話機を折り畳んだ状態で第１の筐体と第２の筐体の同じ面にボタンが配置されることになる。従って、ユーザは携帯電話機本体を折り畳んで操作した後、そのまま開いた状態でもユーザ側に本体側のボタン面が向くことになり、携帯電話機を持ち替えずにスムーズに操作することができる。
【図面の簡単な説明】
【０１３２】
【図１】本実施の形態に係る携帯電話機の外観斜視図である。
【図２】本実施の形態に係る携帯電話機の背面側からの外観斜視図である。
【図３】本実施の形態に係る携帯電話機の折り畳んだ状態での外観斜視図である。
【図４】本実施の形態に係る携帯電話機の折り畳んだ状態での外観側面図である。
【図５】本実施の形態に係る携帯電話機の利用方法を示す説明図である。
【図６】本実施の形態に係る携帯電話機の断面図である。
【図７】本実施の形態に係る携帯電話機の他の例を示す断面図である。
【図８】本実施の形態に係る携帯電話機の構成を示すブロック図である。
【図９】本実施の形態に係る携帯電話機のボタン操作割り当て表である。
【図１０】本実施の形態に係る携帯電話機のピクト表示画面である。
【図１１】本実施の形態に係る携帯電話機のライト光量調整画面である。
【図１２】本実施の形態に係る他の携帯電話機の折り畳んだ状態での外観正面図である。
【図１３】本実施の形態に係る他の携帯電話機のボタン操作割り当て表である。
【図１４】本実施の形態に係るさらなる他の携帯電話機のボタン操作割り当て表である。
【図１５】従来の携帯電話機の外観斜視図である。
【図１６】従来の携帯電話機の背面側からの外観斜視図である。
【図１７】従来の携帯電話機の折り畳んだ状態での外観斜視図である。
【図１８】従来の携帯電話機の折り畳んだ状態での外観側面図である。
【図１９】従来の携帯電話機の利用方法を示す説明図である。
【符号の説明】
【０１３３】
１  携帯電話機、２  第１の筐体、３  第２の筐体、４  ヒンジ、５  第１表示部、１０  第１のシャッタボタン、２０  第２表示部、２１  カメラ部、２２  ライト部、２３  第２のシャッタボタン、２４  第２の操作ボタン群、４０  制御部、４７  第１の操作ボタン群、４９  開閉検出部、５２  第３メモリ、７２  マルチボタン。
【図１】
2007053814.tif 000003
【図２】
2007053814.tif 000004
【図３】
2007053814.tif 000005
【図４】
2007053814.tif 000006
【図５】
2007053814.tif 000007
【図６】
2007053814.tif 000008
【図７】
2007053814.tif 000009
【図８】
2007053814.tif 000010
【図９】
2007053814.tif 000011
【図１０】
2007053814.tif 000012
【図１１】
2007053814.tif 000013
【図１２】
2007053814.tif 000014
【図１３】
2007053814.tif 000015
【図１４】
2007053814.tif 000016
【図１５】
2007053814.tif 000017
【図１６】
2007053814.tif 000018
【図１７】
2007053814.tif 000019
【図１８】
2007053814.tif 000020
【図１９】
2007053814.tif 000021
【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
携帯電話機であって、
第１の筐体と、
第２の筐体と、
前記第１の筐体および前記第２の筐体を接続する連結部とを備え、前記第１の筐体と前記第２の筐体とは、前記連結部によって折り畳み可能に構成されており、
前記携帯電話機が折り畳まれた状態で前記第２の筐体と対面する前記第１の筐体の面に配置される第１表示手段と、
前記第１の筐体のうちの前記第１表示手段の背面に配置され、前記携帯電話機が折り畳まれた状態で前記連結部の位置が上になるように画像を表示する第２表示手段と、
前記携帯電話機が折り畳まれたときに前記第１の筐体と対面する前記第２の筐体の面に配置され、数字または文字の入力を受け付けるキーと、
前記背面に配置され、前記携帯電話機が折り畳まれた状態で前記携帯電話機に対する操作を受け付ける少なくとも１つの操作手段と、
前記操作に応じて前記携帯電話機の動作を制御する制御手段とを備え、
前記少なくとも１つの操作手段は、第１の操作部と第２の操作部とを含み、
前記第１の操作部は、前記第２の操作部に割り当てられている機能の実行を禁止するための操作を受け付ける、携帯電話機。
【請求項２】
前記第２の操作部に割り当てられている機能の実行が禁止されている場合に、前記第１の操作部は、前記禁止を解除するための操作をさらに受け付ける、請求項１に記載の携帯電話機。
【請求項３】
前記第１の操作部が予め定められた時間操作されると、前記制御手段は、前記第２の操作部に対する操作に応じた機能を無効化する、請求項１に記載の携帯電話機。
【請求項４】
前記第１の操作部が予め定められた時間操作されると、前記制御手段は、前記第２の操作部に対する操作に応じた機能を実行可能に設定する、請求項３に記載の携帯電話機。
【請求項５】
前記第１の操作部は、押下操作を受け付ける第１のボタンであり、
前記第２の操作部は、押下操作を受け付ける第２のボタンであり、前記第１のボタンと前記第２のボタンとは異なる、請求項１に記載の携帯電話機。
【請求項６】
前記第１の操作部と前記第２の操作部とは、押下操作を受け付ける１つのボタンに構成されている、請求項１に記載の携帯電話機。
【請求項７】
前記携帯電話機の外面に配置され、被写体を撮影して画像データを出力する撮像手段をさらに備え、
前記少なくとも１つの操作手段は、前記撮像手段による撮影のための操作を受け付ける、請求項１に記載の携帯電話機。
【請求項８】
前記第１の操作部は、前記撮像手段による撮影条件を調整するため操作を受け付ける、請求項７に記載の携帯電話機。